(57)【特許請求の範囲】
【請求項１】
掘削機におけるスクリューオーガ等の掘削ロッドの雄継手に嵌合し得る挿入穴が下面に開口された吊り金具本体と、この本体の上部に取付けられた吊持用フックと、前記挿入穴の内側面から出没して前記雄継手の側面の切欠に跨がって係合するよう水平方向に出没自在に設けられた係止ピンとを備える掘削ロッドの吊り金具であって、前記吊り金具本体に昇降自在に外嵌されその上下動により前記係止ピンを前記挿入穴の内側面から出没させる昇降筒と、この昇降筒の下方位置で前記吊り金具本体の外周に設けられ該昇降筒の最上昇位置においてその下降を阻止するための昇降筒下降規制用作動リング部材と、前記昇降筒の上方位置に設けられ該昇降筒の最下降位置においてその上昇を阻止するための昇降筒上昇規制用ストッパ部材とを具有することを特徴とする掘削ロッドの吊り金具。
【請求項２】
前記係止ピンは前記昇降筒の周壁に形成された傾斜孔に挿通されていて、前記吊り金具本体に対する昇降筒の上下動により係止ピンが平行移動して前記挿入穴の内側面から出没するようにされている請求項１記載の掘削ロッドの吊り金具。
【請求項３】
前記昇降筒下降規制用作動リング部材は上向きの係合突起を有し、前記昇降筒の下端には前記係合突起が嵌合し得る係合凹部が形成されていて、これらが嵌合したとき昇降筒が下降し、前記係合突起が係合凹部から外れたときのそ上端で昇降筒を上昇位置に保持するようにされている請求項１記載の掘削ロッドの吊り金具。
【発明の詳細な説明】
【０００１】
【発明の属する技術分野】
本発明は掘削機における掘削ロッドの吊り装置に関する。
【０００２】
【従来の技術】
スクリューオーガ等の掘削ロッドを用いる掘削機は、図１に例示するように、走行自在な作業機械１にリーダマスト２がピン３と伸縮可能なステー４とで起伏自在に支持され、このリーダマスト２の前面縦方向に取付けられたガイドレール５に駆動部６が上下動自在に取付けられ、このリーダマスト２の上端のシーブ７を経由して作業機械１上のウインチにより巻上げ巻下げされるワイヤロープ８で駆動部６を吊持し、この駆動部６の出力軸９に掘削ロッドの一例であるスクリューオーガ１０の上端が連結され、駆動部６の駆動によりスクリューオーガ１０を回転させてその下端のオーガヘッド１１により地盤を削孔し、スクリュー羽根１０ａにより上方へ排土するようになっている。
【０００３】
このような掘削機においては、１本のスクリューオーガ１０により所定深さにまで竪穴を掘削する場合には最初の１本のスクリューオーガ１０が地中に埋没したとき駆動部６を切離してその駆動部６をリーダマスト２の上方へ吊り上げ、新たなスクリューオーガを駆動部６と地中に埋没してスクリューオーガ１０との間に継ぎ足して掘削を続行するようになされている。
【０００４】
上記スクリューオーガ１０を継ぎ足すための接続部は、図２に示すようにスクリューオーガ１０の一端に多角形断面（通常６角形断面）の雄継手１２が、他端にこれが嵌合する雌継手（図示せず）が設けられ、これら継手が嵌合したとき両者に跨がって係止ピン１３，１３を挿着するための半円形状の切欠１４，１４が形成されている。
【０００５】
【発明が解決しようとする課題】
しかして上記のようなスクリューオーガ１０を継ぎ足すには、新たに継ぐスクリューオーガをクレーン等により垂直姿勢として吊り込んで接続することになるが、吊り込んだのちにおけるスクリューオーガの端部へのワイヤの掛け外しは高所での作業となるため、危険を伴うばかりでなく困難な作業を強いられるものとなる。
【０００６】
本発明は、掘削ロッドの継ぎ足し作業時における高所でのワイヤ類の掛け外しを不要とするとともに、新たな掘削ロッドの吊り込み時における掘削ロッドの脱落を皆無とし、もって高能率で安全性の高い掘削ロッドの吊り装置を提供することを課題としてなされたものである。
【０００７】
【課題を解決するための手段】
上記課題を解決する手段とし本発明は、掘削機におけるスクリューオーガ等の掘削ロッドの雄継手に嵌合し得る挿入穴が下面に開口された吊り金具本体と、この本体の上部に取付けられた吊持用フックと、前記挿入穴の内側面から出没して前記雄継手の側面の切欠に跨がって係合するよう水平方向に出没自在に設けられた係止ピンとを備える掘削ロッドの吊り金具であって、前記吊り金具本体に昇降自在に外嵌されその上下動により前記係止ピンを前記挿入穴の内側面から出没させる昇降筒と、この昇降筒の下方位置で前記吊り金具本体の外周に設けられ該昇降筒の最上昇位置においてその下降を阻止するための昇降筒下降規制用作動リング部材と、前記昇降筒の上方位置に設けられ該昇降筒の最下降位置においてその上昇を阻止するための昇降筒上昇規制用ストッパ部材とを具有する構成としたことにある。
【０００８】
前記係止ピンは前記昇降筒の周壁に形成された傾斜孔に挿通されていて、前記吊り金具本体に対する昇降筒の上下動により係止ピンが平行移動して前記挿入穴の内側面から出没するようにすることが好ましい。また前記昇降筒下降規制用作動リング部材に上向きの係合突起を設け、前記昇降筒の下端には前記係合突起が嵌合し得る係合凹部が形成し、これらが嵌合したとき昇降筒が下降し、前記係合突起が係合凹部から外れたときのそ上端で昇降筒を上昇位置に保持するようにすることが好ましい。
【０００９】
【発明の実施の形態】
以下、本発明を図面に示す実施の形態を参照し、図１と共通する部材についてはこれと同一符号を付して説明する。
【００１０】
図２は本発明によるオーガスクリュー等の掘削ロッド１０の吊り金具１５の一実施形態の掘削ロッド１０への取付け前の状態を示し、図３は同取付け後の状態を示している。
【００１１】
上記吊り金具１５の吊り金具本体１６は、掘削ロッド１０の上端の雄継手１２の断面形状に合致する断面形状を有する挿入穴１７が下面に開口するように形成されたキャップ状のもので、その上面には一対の軸受部１８，１８が突設されており、これら軸受部１８，１８間に吊持用フック１９の基部が軸２０により枢支され、この軸２０が通る軸受部１８，１８の孔は上下方向に長い長孔２１，２１とされている。
【００１２】
前記吊り金具本体１６の外周には円筒状の昇降筒２２が上下方向摺動自在に嵌合され、この昇降筒２２の上端の直径線上対称位置には軸受部２３，２３が突設されており、この軸受部２３，２３には前記吊持用フック１９を枢支する軸２０の端部が挿着され、頭部２０ａおよび抜止め部材２０ｂにより抜止めされている。
【００１３】
前記吊り金具本体１６の挿入穴１７の両側部には、一部が該挿入穴１７にラップするように係止ピン嵌合部２４，２４が形成され、この嵌合部２４，２４に従来と同様の断面形状（円形または偏平長円形断面形状）の係止ピン１３，１３が挿通されており、前記昇降筒２２の周壁には前記係止ピン１３，１３の両端部が挿通する長孔状の傾斜孔２５，２５が正面よりみて逆「ハ」の字状に左右一対として設けられていて、係止ピン１３，１３が傾斜孔２５，２５の上端に位置するとき、すなわち昇降筒２２が最下降位置におかれるとき、図２、図８（Ａ），（Ｂ）に示すように左右の係止ピン１３，１３間の間隔は最大となって吊り金具本体１６の挿入穴１７の内側面から退没した位置におかれ、係止ピン１３，１３が傾斜孔２５，２５の下端に位置するとき、すなわち昇降筒２２が最上昇位置にあるとき、図３、図９（Ａ），（Ｂ）に示すように係止ピン１３，１３は最接近して挿入穴１７内に一部が進入し、雄継手１２の側面の切欠１４，１４に係合し得る状態におかれるようになっている。
【００１４】
前記吊り金具本体１６の下端外周には、前記昇降筒２２が最上昇した位置でその下降を阻止するための昇降筒下降規制用作動リング部材２６が設けられている。
【００１５】
この作動リング部材２６は、吊り金具本体１６の下端の鍔状に突出する受部２７上で回転可能に支持され、作動リング部材２６の上面には直径線上対称２位置に四角形状の係合突起２８が形成されており、この係合突起２８は昇降筒２２の下端の直径線上対称２位置に切設された係合凹部２９，２９に嵌合自在とされていて、上記係合突起２８が前記係合凹部２９に嵌入しているとき昇降筒２２は最下降位置におかれ、前記係合突起２８が昇降筒２２の係合凹部２９以外の下端に位置するとき昇降筒２２は最上昇位置に保持されるようになっている。
【００１６】
これら係合突起２８、係合凹部２９の係合側の隅部は係脱をスムーズにするため隅切り２８ａ，２９ａが施されている。
【００１７】
前記作動リング部材２６は、そのバネ受２６ａと前記受部２７のバネ受２７ａとの間に張装された引張バネ３０により常時係合突起２８が係合凹部２９から外れた位置におかれるよう付勢され、また作動リング部材２６のロープ止め２６ｂに結着された操作用ワイヤロープ３１を牽引することにより作動リング部材２６を引張バネ３０に抗して回転させ、その係合突起２８を昇降筒２２の係合凹部２９の位置に移動させて嵌合させることができるようになっている。なお３２は操作用ワイヤロープ３１のガイドである。
【００１８】
前記吊り金具本体１６の上部には、最下降位置におかれる昇降筒２２の上昇を阻止するための昇降筒上昇規制用ストッパ部材３３が設けられている。
【００１９】
このストッパ部材３３は細長矩形板状のもので、吊り金具本体１６の上面周辺部に突設された軸受部３４にストッパ部材３３の中間部が軸３５により回動自在に支持され、図示しないバネの作用を受けて常時垂直姿勢をとるよう付勢されており、その垂直姿勢時においてストッパ部材３３の先端３３ａが昇降筒２２の上面に当接するとき昇降筒２２が最下降位置を保つよう規制するようになっている。
【００２０】
上記ストッパ部材３３の基端には操作用ワイヤロープ３６が結着され、このワイヤロープ３６はガイド３７を経由して下方へ導かれている。なお上記ストッパ部材３３はバネ付勢によらず、重量バランスにより垂直姿勢になるようにしてもよい。
【００２１】
次に上記実施形態の操作手順と併せて作用を説明する。
【００２２】
地中への掘削が進み、新たな掘削ロッド１０を継ぎ足して掘削を継続する場合には、駆動部６を既設の掘削ロッド１０から切り離して上方へ引き上げ、この駆動部６と切り離された掘削ロッド１０との間に継ぎ足しスペースを確保しておく。
【００２３】
一方、継ぎ足すべき掘削ロッド１０を横倒しにしておき、その雄継手１２を吊り金具本体１６の挿入穴１７に挿入し、この状態としたうえでストッパ部材３３を倒して昇降筒２２を上昇可能とし、昇降筒２２を最上昇位置へ移動させる。これにより係止ピン１３，１３は昇降筒２２の傾斜孔２５，２５の傾斜により互いに接近する方向へ移動し、雄継手１２の切欠１４，１４に係合して吊り金具本体１６と雄継手１２とが抜出し不能に結合される（図３、図９（Ａ），（Ｂ））。
【００２４】
また昇降筒２２が最上昇位置へ至ると昇降筒２２の係合凹部２９が作動リング部材２６の係合突起２８から外れるので作動リング部材２６は引張バネ３０により牽引されて回動し、図３のように係合突起２８は昇降筒２２の係合凹部２９から外れた下端面に位置して昇降筒２２の下降を阻止し、前記係止ピン１３，１３による雄継手１２の結合状態を維持する。このときストッパ部材３３は昇降筒２２の上端にそって横倒しの姿勢におかれる。
【００２５】
こうしたのち吊り金具の吊持用フック１９にワイヤロープを掛けてクレーン等により吊持し、吊り金具１５に結合された継ぎ足し用の掘削ロッド１０を既設の掘削ロッド１０の真上に持ち来たし、両者を連結する。この間、作動リング部材２６が昇降筒２２の下降を阻止しているので、吊り金具１５と掘削ロッド１０との結合が解かれるおそれはない。
【００２６】
継ぎ足し用の掘削ロッドと既設の掘削ロッドとの連結が終了したならば、作動リング部材操作用ワイヤロープ３１を引いて作動リング部材２６を引張バネ３０に抗して回動させ、その係合突起２８を昇降筒２２の係合凹部２９の位置へ移動させて両者を一致させる。
【００２７】
その後吊り金具１５を吊持しているワイヤロープをゆるめれば、吊持用フック１９の枢軸２０が下降することにより昇降筒２２が下降し、これにより係止ピン１３，１３は傾斜孔２５，２５の傾斜により次第に離反する方向へ移動して雄継手１２の切欠１４，１４から外れ、吊り金具１５と掘削ロッド１０との結合が解かれる（図８（Ａ），（Ｂ））。
【００２８】
また昇降筒２２の下降につれてストッパ部材３３は図示しないバネ付勢により次第に直立姿勢に変換し、その先端３３ａが昇降筒２２の上端面に当接して昇降筒２２の上昇が阻止される。
【００２９】
こうして吊り金具１５を吊り上げれば吊り金具１５は掘削ロッド１０の雄継手１２から切り離される（図２）。
【００３０】
その後駆動部６と掘削ロッド１０の雄継手１２とを連結して継ぎ足し作業を終了する。
【００３１】
なお上記作用は掘削ロッド１０の継ぎ足しについて説明したが、掘削ロッド１０の回収作業においても同じ要領により行なうことができる。この回収作業時に既設の掘削ロッド１０の雄継手１２に吊り金具１５を被冠したのち係止ピン１３，１３と雄継手１２の切欠１４，１４とを係合させるとき昇降筒２２を上昇させる際にストッパ部材３３を操作用ワイヤロープ３６を引いて倒せばよい。
【００３２】
【発明の効果】
以上説明したように本発明によれば、継ぎ足し用の掘削ロッドの接続時に吊り込み用ワイヤ類の掛け外しを高所で行う必要がないので危険な作業を伴うことなく継ぎ足し作業を行うことができることはもちろん、昇降筒の下降を作動リング部材が確実に阻止するので、継ぎ足し作業の途中で掘削ロッドとの結合状態が解かれてしまうおそれがない。
【図面の簡単な説明】
【図１】掘削機の一例を示す側面図。
【図２】本発明による吊り金具の一実施形態を示し、掘削ロッド連結前の状態を示す正面図。
【図３】同、連結後の状態を示す正面図。
【図４】図２の平面図。
【図５】図２のＡ−Ａ矢視断面図。
【図６】図３の平面図。
【図７】図３のＢ−Ｂ矢視断面図。
【図８】図２の状態時における係止ピンの位置を示すもので、（Ａ）は略示縦断面図、（Ｂ）は（Ａ）のＣ−Ｃ相当の断面図。
【図９】図３の状態時における係止ピンの位置を示すもので、（Ａ）は略示縦断面図、（Ｂ）は（Ａ）のＤ−Ｄ相当の断面図。
【符号の説明】
１  作業機械
２  リーダマスト
６  駆動部
１０  スクリューオーガ（掘削ロッド）
１２  雄継手
１３  係止ピン
１４  切欠
１５  吊り金具
１６  吊り金具本体
１７  挿入穴
１９  吊持用フック
２１  長孔
２２  昇降筒
２４  係止ピン嵌合部
２５  傾斜孔
２６  昇降筒下降規制用作動リング部材
２７  受部
２８  係合突起
２９  係合凹部
３３  昇降筒上昇規制用ストッパ部材
【図１】
0003970444.tif 000002
【図２】
0003970444.tif 000003
【図３】
0003970444.tif 000004
【図４】
0003970444.tif 000005
【図５】
0003970444.tif 000006
【図６】
0003970444.tif 000007
【図７】
0003970444.tif 000008
【図８】
0003970444.tif 000009
【図９】
0003970444.tif 000010